(57)【要約】      （修正有）【課題】魚灯の光源として、指向性のあるＬＥＤではなく、無電極放電ランプを用い、集魚灯内に無電極放電ランプの発する直接光を反射する反射板を設けて、直接光と反射光を利用し、１つ（１列）の集魚灯で、漁船の左舷方向、右舷方向、及び、甲板方向への広範囲の照射をすることができる集魚灯を提供する。【解決手段】光源４と、光源が内設された反射板本体３と、反射板本体が内設された灯具カバー本体２とを備えた集魚灯１であって、光源は、ループ形状の無電極放電ランプで構成され、反射板本体は、底部反射板と、一対の前後側面反射板と、頂部反射板とを備え、灯具カバーの左右側面には、一対の光透過窓部２ｃが形成され、光源から発光された直接光、及び、直接光の一部が反射板本体で反射された反射光が、一対の光透過窓部を介して外部に照射可能に構成されている。【選択図】図１
0003218037.tif 000002
【実用新案登録請求の範囲】
【請求項１】
光源と、該光源が内設された反射板本体と、該反射板本体が内設された灯具カバー本体とを備えた集魚灯であって、
前記光源は、ループ形状の無電極放電ランプで構成され、
前記反射板本体は、底部反射板と、一対の前後側面反射板と、頂部反射板とを備え、
前記灯具カバーの左右側面には、一対の光透過窓部が形成され、
前記光源から発光された直接光、及び、該直接光の一部が前記反射板本体で反射された反射光が、前記一対の光透過窓部を介して外部に照射可能に構成されている
ことを特徴とする集魚灯。
【請求項２】
前記底部反射板は、前記灯具カバー本体の内部方向に湾曲した形状に形成され、
前記一対の前後側面反射板は、前記底部反射板の前端及び後端に立設状態に対向して取り付けられ、
前記頂部反射板の両端部が、前記一対の前後側面反射板のそれぞれの上端部に取り付けられている
ことを特徴とする請求項１に記載の集魚灯。
【請求項３】
前記頂部反射板は、４つの頂部反射片が連設されて構成され、正面視において、略Ｍ字状に形成されており、
隣接した前記頂部反射片同士の形成する角度が、所定の角度範囲内に形成されている
ことを特徴とする請求項１又は請求項２に記載の集魚灯。
【請求項４】
正面視において、前記頂部反射板は前記底部反射板よりも拡幅に形成されている
ことを特徴とする請求項３に記載の集魚灯。
【請求項５】
前記４つの頂部反射片は、正面視左側から順に、第１の反射片と第２の反射片とが山状に連設されて第１の反射角度が形成されており、該第２の反射片と第３の反射片とが谷状に連設されて第２の反射角度が形成されており、該第３の反射片と第４の反射片とが山状に連設されて第３の反射角度が形成されており、
前記第１の反射角度は１４０．５度〜１５０．５度の範囲内に形成され、
前記第２の反射角度は１５８度〜１６８度の範囲内に形成され、
前記第３の反射角度は１４０．５度〜１５０．５度の範囲内に形成されている
ことを特徴とする請求項３又は請求項４に記載の集魚灯。
【請求項６】
請求項１〜５のいずれか１項に記載の前記集魚灯を１列に複数個配設して構成されていることを特徴とする集魚システム。
【請求項７】
請求項６に記載の前記集魚システムを搭載した漁船であって、前記集魚灯が船体中心線に沿って１列に複数個配設されて構成されていることを特徴とする漁船。
【請求項８】
請求項７に記載の漁船であって、
前記集魚灯から発光された直接光、及び、該直接光が前記反射板本体で反射された反射光は、前記漁船の左舷方向及び右舷方向の海面、及び、前記漁船の甲板上に照射可能に構成されている
ことを特徴とする漁船。
【請求項９】
光源と、該光源が内設された反射板本体と、該反射板本体が内設された灯具カバー本体とを備えた照明装置であって、
前記光源は、ループ形状の無電極放電ランプで構成され、
前記反射板本体は、底部反射板と、一対の前後側面反射板と、頂部反射板とを備え、
前記灯具カバーの左右側面には、一対の光透過窓部が形成され、
前記光源から発光された直接光、及び、該直接光の一部が前記反射板本体で反射された反射光が、前記一対の光透過窓部を介して外部に照射可能に構成されている
ことを特徴とする照明装置。
【請求項１０】
前記底部反射板は、前記灯具カバー本体の内部方向に湾曲した形状に形成され、
前記一対の前後側面反射板は、前記底部反射板の前端及び後端に立設状態に対向して取り付けられ、
前記頂部反射板の両端部が、前記一対の前後側面反射板のそれぞれの上端部に取り付けられている
ことを特徴とする請求項９に記載の照明装置。
【考案の詳細な説明】
【技術分野】
【０００１】
本考案は、無電極放電ランプを有する集魚灯を用いた集魚技術、この集魚灯を用いた照明技術に関し、特に、無電極放電ランプを有する集魚灯を用いて、走光性を有する頭足類または魚類等を多量に漁獲するための集魚技術、または、この集魚灯を用いた一般的な屋外の照明装置に関するものである。
【背景技術】
【０００２】
従来、イカ、サンマ、アジ、サバ、イワシ等、一部の頭足類及び魚類は、光に集まる性質を有し、漁船上に備えられた集魚灯内の光源から海面へ向けて光を照射し、この海面に照射された光及び海中に透過された光に集まった上記の頭足類及び魚類を、多量に漁獲するという技術が知られている。上記の頭足類及び魚類は、海面及び海中に照射された光がより明るい方が、集魚効果が大きいとされてきた。このため、漁船に大量の光源を設けたり、低電力で高い光強度を有する光源の開発が行われてきた。集魚に用いられる照明装置を集魚灯（あるいは、集魚装置ともいう。）といい、光源としては、古来、松明が用いられ、時代の変遷とともに改良されて、石油灯、白熱灯、ハロゲンランプ灯等が用いられ、近年では、メタルハライドランプが主に用いられてきた。
【０００３】
しかしながら、メタルハライドランプは、例えば、下記特許文献１に「現在、イカ釣り漁業をする漁船の集魚灯を点灯する発電機にかかる費用は、操業にかかる全体費用の６０％以上を占めており、集魚灯の交換経費などを含めば全体操業経費の４０％以上を占めるほど、大きい負担になっている。また、近年、原油高により漁業経営に多大な支障をきたしている。イカの集魚灯としてはメタルハライドランプを大部分使っている。しかしながら、メタルハライドランプは、通常、消費電力がｌＫＷ〜３ＫＷ程度の非常に大きい電力が必要であるため電力消耗が高く、発光時のガラス表面の温度が非常に高くて火災または火傷などの虞があり、寿命が約３，０００時間程度で短いという短所がある。また、メタルハライドランプは、約４〜５ヶ月使用すると、集魚性能が低減して交換しなければならず、重さが重くて体積が大きい安定器が必要であるため、照明に必要な付加設備が増加し、このような付加設備の空間占有により、魚を保存する魚倉の容積が減少するという問題点もある。さらに、メタルハライドランプの光はガラス球を通して全方向に放射されるため、集魚に必要な照射範囲以外にも空と甲板も照らし、全光量の６０〜７０％以上が無駄に消耗される。また、メタルハライドランプから出射される光は赤外線領域から一部の紫外線領域の光まで発生するため、集魚対象魚類、例えばイカの集魚に有効な波長帯域の光以外の光も出射することになり、全般的な集魚のための光の利用が非効率的であった」（段落「０００３」〜「０００５」参照。）と記載されているような問題があった。そして、このような問題を解決するために新たな光源が用いられるようになった。その新たな光源の代表的なものとして、発光ダイオード（以下、「ＬＥＤ」という。）と、無電極放電ランプ（あるいは、「電磁誘導ランプ」ともいう。）がある。
【０００４】
ＬＥＤを光源として用いた集魚灯に関しては、例えば、下記特許文献１〜３があり、無電極放電ランプを光源として用いた集魚灯に関しては、例えば、下記特許文献４がある。
【０００５】
ＬＥＤは、全方向に光を照射するメタルハライドランプと異なり指向性を有するので、光源からの照射光を束状に集中させることで、少ない電力で特定の領域に効果的に光を照射することができる。また、メタルハライドランプよりも海中への照射光の透過率が良い。ＬＥＤを光源に用いた集魚灯として、例えば、下記特許文献２には、「波長領域400nmから500nmの青色光を放つ青色系発光ダイオードを複数個、基板の上にマトリックス状に配置して、ＬＥＤ面状光源に構成し、該ＬＥＤ面状光源を用い、船の右側の海面を照射する右側面状光源および船の左側の海面を照射する左側面状光源を構成し、前記右側面状光源と前記左側面状光源の間に、甲板上を照らすための白色光を照射する発光ダイオードを基板上にマトリックス状に配置した作業用面状光源を構成し、ケース内に、前記右側面状光源と前記左側面状光源と前記作業用面状光源を設けて面状光源ユニットを構成し、該面状光源ユニットを、船の甲板の略中心線上の上方において、複数個並べて配置したことを特徴とする集魚灯」（「請求項１」参照。）と記載されている。
【０００６】
また、無電極放電ランプは、メタルハライドランプと同様に、全方向に光を照射するものであるが、メタルハライドランプと異なり発熱量が少ないので、反射板を設けた筐体に収納して、ＬＥＤと同様に特定の領域に効果的に光を照射することができる。例えば、下記の特許文献４には、「イカ釣り漁船に取り付けられた光源から光を照射する集魚灯装置であって、前記光源として、可視光線を構成する紫、青、緑、黄、橙、赤すべての波長を含み、なかでも紫、緑、橙の波長のエネルギ割合が高い光を照射する光源が用いられ、該光源を保持する保持体が、船舷に備えられたイカ釣り装置における、起立傾倒可能で傾倒時に海側へ突出する受け台の中央部に対して、前記受け台の起立傾倒方向に回転可能に設けられ、前記保持体の回転角度を調節する角度調節機構が備えられた集魚灯装置」（「請求項１」参照。）、「前記光源が無電極放電ランプで構成された」（「請求項２」参照。）、「図４は、上方に設けられる集魚灯装置１４を示し、この集魚灯装置１４は、前記光源４１を前記安定器４３から分離して、前記イカ釣り装置１３より上方に配設する。光源４１は、全方向に照射される光を一方向に照射するようにするため、保持体としての反射カバー部材４４によって片面側が覆われている」（段落「００３４」、図４参照。）、「光源４１から照射される光のうち反射カバー部材４４側のものは反射カバー部材４４によって反射され、反射カバー部材４４の姿勢に応じて前方に照射される。反射カバー部材４４は前記のように斜め下に向いているので、光６１は船舷の外側に照射され、海中に入射する」（段落「００５４」、図１０参照。）と記載されている。
【０００７】
また、特許文献４には、ＬＥＤを用いた特許文献２に記載の発明について「これらのような事情を背景に、消費電力が少なく安定器も不要で、照射する光に紫外線を含まない発光ダイオード（ＬＥＤ：Ｌｉｇｈｔ  Ｅｍｉｔｔｉｎｇ  Ｄｉｏｄｅ）を用いた集魚灯装置が提案されている。発光ダイオードを用いた集魚灯装置では、光量が少なくて遠方まで光を届かせにくい欠点を補うため、発光ダイオードのなかでも青色の光を発する青色発光ダイオードが使用される。これは、波長が４７０ｎｍ程度の青い光がイカの視感度波長にあうから集魚効果があるだろうとの考えに基づく。しかしながら、青色発光ダイオードを用いたことによる釣果についての効果は未だ実証されるには到っていない。これは、水中光量が低いことも一因と考えられるが、そのほかに、演色性の悪さも原因にあるのではないかと思われる。つまり、光を照射するのが海の中であることに加え、青い光だけを照射しても却って色の見え方が不自然なのではないかと想像される」（段落「０００８」、「０００９」参照。）と記載されている。
【先行技術文献】
【特許文献】
【０００８】
【特許文献１】特許第５５１０５４９号公報
【特許文献２】特許第３５９７４９８号公報
【特許文献３】登録実用新案第３０９６５６１号公報
【特許文献４】特開２０１２−１２５２０２号公報
【考案の概要】
【考案が解決しようとする課題】
【０００９】
上記特許文献１、３に記載の発明では、複数のＬＥＤを光源として１つの集魚灯を構成し、集魚効果を高めるために、漁船の左右舷側に、左右舷に沿って少なくとも２列の集魚灯列が配設されている（特許文献１の図６、特許文献３の図１参照。）。左舷側の集魚灯列は、左舷方向の海面及び海中に光を照射し、右舷側の集魚灯列は、右舷方向の海面及び海中に光を照射するように構成されている。また、特許文献４に記載の発明では、複数の無電極放電ランプを光源として１つの集魚灯を構成し、集魚効果を高めるために、漁船の左右舷側に、左右舷に沿って２列の集魚灯列が配設されている（特許文献４の図１参照。）。このように集魚灯列を漁船の左右舷側に少なくとも２列配設するような構成は、漁船の総重量が増加するので漁船の燃費が悪くなる。また、風や波の影響を受けやすく、漁船のバランスが不安定になる。これに対し、上記特許文献２には、「ＬＥＤ面状光源」を用い、「魚船Ｓの甲板ｄにおける略中心線の上方には前後に立設された支柱ｐによって支持棒ｂが水平に渡し掛けられている。図２に示すように、この支持棒ｂに前記フック３６と固定ネジ３７で面状光源ユニット１を取付けることができる」（段落「００１４」、図２、図３参照。）と記載されており、集魚灯としての複数の「面状光源ユニット１」が、漁船の長手方向の中央線上に１列に配設された構成であるので、上記の重量増とバランス不安定の問題は改善されるかもしれないが、船の左右舷方向の海面及び海中に効率よく放射光を入射されるために、集魚用の光源としては、「船の左側の海面を照射する左側面状光源」と「船の右側の海面を照射する右側面状光源」と、２つの光源を必要とする。また、そもそもＬＥＤは、グレアが多く漁船の甲板上で作業を行う作業者にとって、視認性や作業性に悪影響を与えるので、この対策のために、特許文献２に記載の発明では、集魚用の「右側面状光源および左側面状光源」とは別に、「甲板上を照らすための白色光を照射する発光ダイオードを基板上にマトリックス状に配置した作業用面状光源」が設けられているものと推量される。
【００１０】
なお、無電極放電ランプは、上述したＬＥＤと異なり、無指向性（「全指向性」ともいう。）を有し、広角に光を照射することができ、全方向を明るく、しかも実測の照度よりも明るく照らすことができる。このため、光と光が重なる空間が大きく、荷物や設備の影ができにくいので、漁船の甲板上での作業がしやすくなる。また、グレアが少ないので、作業者の視認性・作業性に悪影響を与えることがない。
【００１１】
上記特許文献４に記載の発明は、無電極放電ランプを、イカ釣漁の集魚灯装置として用いたものであるが、「集魚灯装置１４」の「光源４１」として「無電極放電ランプ」を用いているものの、「光源４１は、全方向に照射される光を一方向に照射するようにするため、保持体としての反射カバー部材４４によって片面側が覆われている」構成となっており、このため、「集魚灯装置１４」を漁船左右舷に沿って２列配設する必要がある（図１及び図２参照。）ので、上述したように、重量増による燃費の悪化、バランスの不安定等の問題があると推量される。そして、図２を見れば明らかなように、「集魚灯装置１４」では、「イカ釣り漁船１１」の甲板上を照らすことはできず、作業の安全性、効率性を考慮すれば、さらに、別の照明装置を設ける必要があり、上記の漁船の燃費やバランスの安定性等の問題が悪化する虞がある。
【００１２】
次に、イカに対する集魚灯の機序について言及する。段落「０００２」で述べたように、従来、イカのような一部の頭足類は、光に集まる性質（正の走光性）を有するとされてきた。このため、光源がより明るい方が集魚効果が大きいとされ、漁船に大量の光源（集魚灯）を設けたり、低電力で高い光強度を有する光源の開発が行われてきた。
【００１３】
しかしながら、近年では、正の走光性を有するプランクトンや小魚が、海面及び海中に照射された光に誘引されて集まり、この集まったプランクトンや小魚を補食するためにイカが船底の影などの非照射領域の暗い部分に集まる、あるいは、イカが負の走光性（光から逃げる性質）を有しているので、鉛直移動で海面近傍に浮上してきたイカが、照射領域に集まっているプランクトンや小魚を補食するために船底の影などの非照射領域の暗い部分に集まると考えられている。
【００１４】
このように、イカは、光の照射領域（明るい領域）ではなく、船底の影部分のように光の非照射領域（暗い領域）に集まると考えられる。このことに関しては、特許文献１には、「イカはいずれの波長の光でも一応接近するが、強い刺激を受けると、逃避したり陰を探して動く」（段落「００６９」参照。）と記載され、特許文献２には、「イカは通常は100m〜200mぐらいの海底にいるが集魚灯１の光に惹き寄せられて５０m位まで浮上し、船体Ｓの下にできる光の影の部分に身を潜め、集魚灯Ａの照射光下に群がっている魚等に敏捷に飛びつき足を絡めてこれを捕食しようとする」（段落「００２０」参照。）と記載され、特許文献３には、「漁船１の近傍の海面ＷＰ及び海中ＷＩが、青色、緑色又は透明色のＬＥＤ光で照射されると、付近の魚類（例えば、いか）がその光に誘われて漁船１に近づき、影になった集魚領域ＢＡに集まる。いか等は、光が強いと離れ、暗くすると寄ってくる習性があるので、影になった集魚領域ＢＡに集まる」（段落「００４２」参照。）と記載され、特許文献４には、「前記のように船体１２の下方にできる船体１２の影６２は、明るい部分との境界が比較的明瞭である。このため、イカが集まる場所が定まりやすい。つまり、イカを集める範囲を限定できる」（段落「００６０」参照。）と記載されている。
【００１５】
以上のことから、集魚灯を用いたイカ漁においては、プランクトンや小魚が集まる照射領域（明るい領域）と、集まったプランクトンや小魚を捕食するためにイカが集まる非照射領域（暗い領域）とを、集魚効果・漁獲効果が大幅に向上するように形成することが課題と考えられる。
【００１６】
そこで、本考案は、まず、集魚灯の光源として、指向性のあるＬＥＤではなく、無電極放電ランプを用い、集魚灯内に無電極放電ランプの発する直接光を反射する反射板を設けて、直接光と反射光を利用し、１つ（１列）の集魚灯で、漁船の左舷方向、右舷方向、及び、甲板方向への広範囲の照射をすることができる集魚灯を提供することを目的とする。
【００１７】
また、本考案は、集魚効果・漁獲効果が大幅に向上するように照射領域（明るい部分）と非照射領域（暗い部分）とを形成するために、集魚灯から照射される直接光及び反射光が、広範囲に照射されると共に特定の方向に高い強度で照射されるように、前記反射板の反射角度が最適に設定された集魚灯を提供することを目的とする。
【００１８】
また、本考案は、上記の集魚灯を用いた集魚システム、この集魚システムを搭載した漁船を提供することを目的とする。
【００１９】
また、本考案は、上記の集魚灯を用いて、駅構内、道路、公園、街路等に設置される一般的な照明装置を提供することを目的とする。
【課題を解決するための手段】
【００２０】
上記の目的を達成するため、請求項１の考案では、光源と、該光源が内設された反射板本体と、該反射板本体が内設された灯具カバー本体とを備えた集魚灯であって、前記光源は、ループ形状の無電極放電ランプで構成され、前記反射板本体は、底部反射板と、一対の前後側面反射板と、頂部反射板とを備え、前記灯具カバーの左右側面には、一対の光透過窓部が形成され、前記光源から発光された直接光、及び、該直接光の一部が前記反射板本体で反射された反射光が、前記一対の光透過窓部を介して外部に照射可能に構成されていることを特徴とする。
【００２１】
また、請求項２の考案では、請求項１の考案において、前記底部反射板は、前記灯具カバー本体の内部方向に湾曲した形状に形成され、前記一対の前後側面反射板は、前記底部反射板の前端及び後端に立設状態に対向して取り付けられ、前記頂部反射板の両端部が、前記一対の前後側面反射板のそれぞれの上端部に取り付けられていることを特徴とする。
【００２２】
また、請求項３の考案では、請求項１又は請求項２の考案において、前記頂部反射板は、４つの頂部反射片が連設されて構成され、正面視において、略Ｍ字状に形成されており、隣接した前記頂部反射片同士の形成する角度が、所定の角度範囲内に形成されていることを特徴とする。
【００２３】
また、請求項４の考案では、請求項３に記載の考案において、正面視において、前記頂部反射板は前記底部反射板よりも拡幅に形成されていることを特徴とする。
【００２４】
また、請求項５の考案では、請求項３又は請求項４の考案において、前記４つの頂部反射片は、正面視左側から順に、第１の反射片と第２の反射片とが山状に連設されて第１の反射角度が形成されており、該第２の反射片と第３の反射片とが谷状に連設されて第２の反射角度が形成されており、該第３の反射片と第４の反射片とが山状に連設されて第３の反射角度が形成されており、前記第１の反射角度は１４０．５度〜１５０．５度の範囲内に形成され、前記第２の反射角度は１５８度〜１６８度の範囲内に形成され、前記第３の反射角度は１４０．５度〜１５０．５度の範囲内に形成されていることを特徴とする。
【００２５】
また、請求項６の考案では、集魚システムであって、請求項１〜５のいずれか１項に記載の前記集魚灯を１列に複数個配設して構成されていることを特徴とする。
【００２６】
また、請求項７の考案では、請求項６に記載の前記集魚システムを搭載した漁船であって、前記集魚灯が船体中心線に沿って１列に複数個配設されて構成されていることを特徴とする。
【００２７】
また、請求項８の考案では、請求項７に記載の考案において、前記集魚灯から発光された直接光、及び、該直接光が前記反射板本体で反射された反射光は、前記漁船の左舷方向及び右舷方向の海面、及び、前記漁船の甲板上に照射可能に構成されていることを特徴とする。
【００２８】
また、請求項９の考案では、光源と、該光源が内設された反射板本体と、該反射板本体が内設された灯具カバー本体とを備えた照明装置であって、前記光源は、ループ形状の無電極放電ランプで構成され、前記反射板本体は、底部反射板と、一対の前後側面反射板と、頂部反射板とを備え、前記灯具カバーの左右側面には、一対の光透過窓部が形成され、前記光源から発光された直接光、及び、該直接光の一部が前記反射板本体で反射された反射光が、前記一対の光透過窓部を介して外部に照射可能に構成されていることを特徴とする。
【００２９】
また、請求項１０の考案では、請求項９の考案において、前記底部反射板は、前記灯具カバー本体の内部方向に湾曲した形状に形成され、前記一対の前後側面反射板は、前記底部反射板の前端及び後端に立設状態に対向して取り付けられ、前記頂部反射板の両端部が、前記一対の前後側面反射板のそれぞれの上端部に取り付けられていることを特徴とする。
【考案の効果】
【００３０】
本考案の集魚灯によれば、この集魚灯を用いた集魚システムを漁船に搭載することで、漁船の総重量が軽減されて燃費が向上し、かつ、漁船のバランスも安定する。
【００３１】
本考案の集魚灯によれば、この集魚灯を用いた集魚システムを漁船に搭載することで、集魚効果及び漁獲効果を大幅に向上させることができるとともに、漁作業者の視認性・作業効率性を高めることができる。
【図面の簡単な説明】
【００３２】
【図１】本考案の実施形態における集魚灯を左前方から見た斜視図である。
【図２】本考案の実施形態における集魚灯を前側上方から見た斜視図である。
【図３】本考案の実施形態における集魚灯の正面図である。
【図４】本考案の実施形態における集魚灯の左側面図である。
【図５】本考案の実施形態における集魚灯の平面図である。
【図６】本考案の実施形態における反射板本体を前側上方から見た斜視図である。
【図７】本考案の実施形態における反射板本体の正面図である。
【図８】本考案の実施形態における反射板本体の左側面図である。
【図９】本考案の実施形態における反射板本体の平面図である。
【図１０】本考案の実施形態における集魚灯の分解斜視図である。
【図１１】本考案の実施形態における集魚システムを搭載した漁船の正面図である。
【図１２】本考案の実施形態における集魚システムを搭載した漁船の左側面図である。
【図１３】本考案の実施形態における集魚システムを搭載した漁船の平面図である。
【図１４】本考案の実施形態における集魚システムを搭載した漁船の変形例を示す左側面図である。
【図１５】本考案の実施形態における集魚灯の配光曲線を示す図である。
【図１６】参考例の集魚灯の配光曲線を示す図である。
【図１７】本考案の実施形態における集魚システムを漁船に搭載したときの照度分布図である。
【図１８】参考例の集魚システムを漁船に搭載したときの照度分布図である。
【考案を実施するための形態】
【００３３】
以下、好適な実施形態を用いて本考案をさらに具体的に説明する。但し、下記の実施形態は本考案を具現化した例に過ぎず、本考案はこれに限定されるものではない。
【００３４】
（実施形態）
本考案の実施形態における集魚灯について、図１〜図１０を参照しながら説明する。なお、説明を分かりやすくするために、各図には、方向を示す矢印を付している。集魚灯１は、灯具カバー本体２と、灯具カバー本体２に内設された反射板本体３と、反射板本体３の内部に取り付けられた光源４を備えている。灯具カバー本体２は、電源ケーブル装着部（不図示）を除いて左右対称の一対のカバー２ａ，２ａのそれぞれのカバー枠部２ｂ，２ｂが着接された状態で、このカバー枠部２ｂ，２ｂに上方から略コの字型のフレーム５が嵌装され、フレーム５の四隅部、及び、対応するカバー枠部２ｂ，２ｂのそれぞれの四隅部に設けられた開孔部（５ｂ，２ｈ，５ｂ，２ｈ・・・）に、ボルト・ナット対等の螺着手段（５ａ，５ａ，・・・）を螺挿して、フレーム５とカバー枠部２ｂ，２ｂが螺着され、防水状態に固定されている。
【００３５】
灯具カバー本体２には、図１に示すように、左右の側面に、光源４から発光された光を透過させるための一対の光透過窓部２ｃ，２ｃが矩形状に開口され、光透過窓部２ｃ，２ｃの周囲には、窓枠部２ｅが形成されている。この光透過窓部２ｃ，２ｃを塞ぐために、例えば、アクリル板で形成された透明板２ｄ，２ｄが、窓枠部２ｅの内壁に防水されて貼着されている。灯具カバー本体２は、軽量の金属製材料で形成されている。なお、図１において光透過窓部２ｃの全体が視認される側を左側、対向して配設されている光透過窓部２ｃ側を右側とし、略コの字型のフレーム５の開口側を下側、開口側の反対側を上側とし、また、灯具カバー本体２の視認されている側面側を前側、対向する側面側を後側とする。
【００３６】
灯具カバー本体２には、反射板本体３が内設されている。この反射板本体３は、詳細は後述するが、灯具カバー本体２の内部方向に湾曲した状態に形成された底部反射板３ａと、底部反射板３ａの前端及び後端に立設状態に取り付けられた一対の前後側面反射板３ｂ，３ｂと、前後側面反射板３ｂ，３ｂ上端部に両端部が取付けられた頂部反射板３ｃとを備えている。この反射板本体３の左右面側は、全て開口されている。反射板本体３は、少なくとも内側面全てが、鏡面で形成されている。
【００３７】
光源４は、閉ループで角型形状のガラス管４ａの左右にフェライトコア４ｂ，４ｂが設けられた無電極放電ランプであり、左右のフェライトコア４ｂ，４ｂそれぞれに一体的に形成されたランプ固定具４ｃ，４ｃを前後側面反射板３ｂ，３ｂに螺着して固定されている。
ここで、無電極放電ランプは、電磁誘導の原理と放電による発光の原理に基づいた仕組みを利用しており、ガラス管４ａに巻き付けたフェライトコア４ｂ，４ｂに高周波電流を流すことにより、フェライトコア４ｂ，４ｂに磁界を発生させ、ガラス管４ａ内に電界を発生させ、この電界によって放出された電子が粒子に衝突し紫外線を発生させ、この紫外線がガラス管４ａの内壁に塗布された蛍光体に衝突して可視光線に変換されるものである。なお、本実施例のガラス管４ａには、水銀蒸気を封入していない。
【００３８】
無電極放電ランプは、発光管（ガラス管）に電極がないので超長寿命である（例えば、本考案に用いる外部電磁誘導型は、１０万時間の寿命である。）ことから、メンテナンスが困難な漁船に集魚灯として用いることは有用である。また、実測の照度よりも明るいことに加えて、点灯時のランプ温度が低いことから経済的な効果も大きい。その他、光のちらつきがない、瞬時点灯／瞬時再点灯が可能等の利点を備えている。
【００３９】
灯具カバー本体２は、正面視において、一対のカバー２ａ，２ａそれぞれが、底辺部２ｇ，２ｇと、略円弧形状の頂部２ｆ、２ｆ、と、窓枠部２ｅ、２ｅとで構成された略扇形をなしている。なお、電源ケーブル装着部、電源ケーブル、安定器等は図示していない。灯具カバー本体２の頂部２ｆ，２ｆは、略円弧形状をなし、上側に丸みを帯びた形状であり、底辺部２ｇ，２ｇは、若干下側に丸みを帯びた形状である。頂部２ｆ，２ｆの幅は、底辺部２ｇ，２ｇの幅よりも拡幅に形成され、左側の窓枠部２ｅは、左側の底辺部２ｇから左側の頂部２ｆに向かって左方向に傾斜した形状をなしている。右側の窓枠部２ｅは、右側の底辺部２ｇから右側の頂部２ｆに向かって右方向に傾斜した形状をなしている。左側の窓枠部２ｅと左側の底辺部２ｇとのなす角度は、図４に示す実施例では約１２５度に設定されているが、この角度は必要に応じて適宜調整される。右側の窓枠部２ｅと右側の底辺部２ｇとのなす角度についても同様である。
【００４０】
次に、図６〜図９、図１１、図１５、図１７を参照しながら、反射板本体３について説明する。反射板本体３は、上述したように、灯具カバー本体２に内設される。底部反射板３ａは、灯具カバー本体３の内部方向つまり上側に湾曲して形成されており（例えば、図７では、正面視、円弧上に形成されている。）、集魚灯１の光源４（図１参照。）から発光された直接光の一部を、頂部反射板３ｃ方向に反射する。一対の前後側面反射板３ｂ，３ｂは、底部反射板３ａの前端及び後端に立設状態に対向して取り付けられている。この状態において、前後側面反射板３ｂ，３ｂの上端部に、頂部反射板３ｃの前後の両端部が取付けられている。頂部反射板３ｃは、頂部反射片３ｃ１，３ｃ２，３ｃ３，３ｃ４が正面視左側から順に連設された構成であり、正面視において略Ｍ字形状をなしている。
【００４１】
左側の窓枠部２ｅと左側の底辺部２ｇとのなす角度、右側の窓枠部２ｅと右側の底辺部２ｇとのなす角度、頂部反射板３ｃの連設した頂部反射片同士の角度（つまり、頂部反射片３ｃ１と頂部反射片３ｃ２とのなす角度、頂部反射片３ｃ２と頂部反射片３ｃ３とのなす角度、頂部反射片３ｃ３と頂部反射片３ｃ４とのなす角度。）、底部反射板３ａの曲率（つまり、湾曲の曲がりの程度。）等は、光源４から発光された直接光（入射光）の反射角度を決めるものであり、集魚灯１及び集魚灯１を用いた集魚システムが搭載される漁船の構造、漁の際の海面状態に応じた漁船の揺れ具合、捕獲方法・手段等に応じて、最適な反射角度になるように調整される。
【００４２】
底部反射板３ａは、光源４から入射された直接光が、無駄なく全て頂部反射板３ｃに向けて反射されるように、曲率（つまり、湾曲の曲がりの程度。）が調整されて、形成される。頂部反射板３ｃは、光源４から入射された直接光が、無駄なく全て外部に向けて反射されるように、反射角度が調整されて、形成される。当然に、直接光及び反射光が外部に向けて放射される角度及び光強度は、左右対称に設定される（図１１、図１５、図１７参照。）。
【００４３】
本実施例では、図７に示すように、頂部反射板３ｃは、正面視で略Ｍ字形状を示すように、左側から順に、頂部反射片３ｃ１と頂部反射片３ｃ２とが山状に連設され、頂部反射片３ｃ２と頂部反射片３ｃ３とが谷状に連設され、頂部反射片３ｃ３と頂部反射片３ｃ４とが山状に連設されており、頂部反射片３ｃ１と頂部反射片３ｃ２とのなす角度（反射角θ１）、頂部反射片３ｃ２と頂部反射片３ｃ３とのなす角度（反射角θ２）、頂部反射片３ｃ３と頂部反射片３ｃ４とのなす角度（反射角θ３）は、漁船に搭載した集魚灯１を発光した際に、光源４と漁船の縁を結んだ直線方向の光強度が最大になるような角度に形成される。一実施例では、漁船の船幅が約５ｍ、集魚灯の甲板面からの取り付け高さが約２．８ｍで、θ１＝１４５．５度、θ２＝１６３．０度、θ３＝１４５．５度に形成されている。当然に、これらの反射角θ1，θ２，θ３は、漁船の船幅、集魚灯の取り付け高さに応じて適宜調整する必要があるが、本出願人が鋭意検討した結果、集魚効果を向上させるためには、１４０．５度≦θ１≦１５０．５度、１５８．０度＝＜θ２＜＝１６８．０度、１４０．５度＝＜θ３＜＝１５０．５度、の範囲に設定すればよいことを見いだした。
【００４４】
反射板本体３の左右面側には、光源４の発光する直接光及び各反射板３ａ，３ｂ，３ｂ，３ｃの反射光を、外部に向けて照射するために、全面が開口された反射板開口部３ｆ，３ｆが形成されている。反射板開口部３ｆ，３ｆは、底部反射板３ａの端縁、前後側面反射板３ｂ，３ｂの端縁、頂部反射板３ｃの端縁で囲まれて開口されている。底部反射板３ａ、前後側面反射板３ｂ，３ｂ、頂部反射板３ｃは、少なくとも内部面が鏡面で形成されている。本実施例では、底部反射板３ａ、前後側面反射板３ｂ，３ｂ、頂部反射板３ｃは、内部面が鏡面仕上げされたステンレス板で形成されているが、反射効率が所定の効果を得られる素材であれば、特にステンレス板には限定されず、他の素材でもよい。
【００４５】
前後側面反射板３ｂ，３ｂの略中央部に設けられた小径の開孔部３ｄ，３ｄは、反射板本体３の内部に光源４のランプ固定具４ｃ，４ｃを螺着するための開孔部である。底部反射板３ａの前側には、電源ケーブル（不図示）を挿通するためのケーブル挿通孔３ｅが開孔されている。
【００４６】
図１０は、集魚灯１の分解斜視図である。集魚灯１を構成する個々の部材については上述したのでここでは説明を省略する。以下、集魚灯１の組み立て手順について説明する。まず、反射板本体３に光源４を取り付ける。このとき、ランプ固定具４ｃ，４ｃを、別体のランプ固定具３ｇ，３ｇと螺着手段（不図示。）を用いて前後側面反射板３ｂに螺着して固定する。
【００４７】
次に、予め透明板２ｄ，２ｄが窓枠部２ｅ，２ｅの内壁に防水加工して貼着された左右のカバー２ａ，２ａが、光源４が取り付けられた反射板本体３に被装される。このとき、まず、左側のカバー２ａのカバー枠部２ｂに取り付けられたランプ固定具２ｉに螺着手段３ｇを用いて螺着して固定する。左右のカバー２ａ，２ａは、左右のカバー枠部２ｂ，２ｂが着接された状態にされる。この状態で、上方から、フレーム５をカバー枠部２ｂ，２ｂに装着し、フレーム５の四隅部の開孔部（５ｂ，５ｂ，・・・）及びカバー枠部２ｂ，２ｂの四隅部の開孔部（２ｈ，２ｈ，・・・）を介して、ボルト・ナット対等の螺着手段（５ａ，５ａ，・・・）が螺着され、カバー枠部２ｂ，２ｂが固定される。このようにして、集魚灯１は、容易に組み立てることができる。
【００４８】
図１１〜図１３は、上述した集魚灯１を用いて構成された集魚システムを搭載した漁船を示している。なお、図１１〜図１８において、図の左側は漁船の右舷側を示し、図の右側は漁船の左舷側を示す。
漁船の集魚システム１０は、複数の集魚灯１を漁船１００の船体中心線に沿って１列に配設して構成される。集魚灯１には、不図示の電源ケーブル、安定器等の集魚灯制御装置が設けられている。集魚灯システム１０は、漁船１００の船首中央部に設けられた支持台１４と船体上部構造物１２とを連結して張架された支持線１５に、所定数の集魚灯１が取付けられ、また、船体上部構造物１２と船尾中央部に設けられた支持台１６とを連結して張架された支持線１７に、所定数の集魚灯１が取り付けられて構成されている。支持台１４，１６の間隔、数は、必要に応じて適宜調整される。漁船１００は、船体１１、船体上部構造物１２、推進・操舵部１３を備え、本考案の集魚灯システム１０を搭載している。
【００４９】
本実施例の集魚システム１０における集魚灯１の光源４からの直接光及び反射板本体３からの反射光の照射範囲を、図１１に模式的に示す。図示するように、左側の光透過窓部２ｃから照射される光の照射領域は、線ｒ１と線ｒ２で囲まれる左側照射領域ａ１であり、右側の透過窓部２ｃから照射される光の照射領域は、線ｒ３と線ｒ４とで囲まれる右側照射領域ａ２である。この左側照射領域ａ１と右側照射領域ａ２の重なり部分が、集魚灯１の照射領域となる。このため、１つ（１列）の集魚灯１で、同時に、漁船１００の左舷方向及び右舷方向の海面ｓｌ、及び、漁船１００の甲板上に、光の照射を行うことができる。図示するように、集魚灯１直下の黒塗り部ｂ３は、左側照射領域ａ１と右側照射領域ａ２とのいずれも形成されず、非照射領域（暗い領域）となるが、甲板の上方であるので、甲板作業には全く影響がない。漁船１００の左舷方向及び右舷方向の海面ｓｌに照射された直接光及び反射光は、海中の所定深度まで到達している。
【００５０】
漁船１００の左右の黒塗り部は、漁船１００の影になり、集魚灯１からの光が照射されない非照射領域ｂ１及びｂ２である。ここで、前述したように、集魚灯１から照射される直接光及び反射光は、反射角θ１，θ２，θ３を所定の角度に形成することにより、光源４と漁船１００の左右の縁とを結んだ線ｒ５，ｒ６方向の光強度が最大になるように最適設定されている。このように構成したことにより、イカの捕獲領域である非照射領域ｂ１，ｂ２と照射領域ａ１，ａ２との境界が明瞭になり、つまり、非照射領域ｂ１，ｂ２と照射領域ａ１，ａ２との明暗の差が大きくなり、集魚効果を大幅に向上させることができる。同時に、漁獲効果も大幅に向上させることができる。
【００５１】
なお、図１１〜図１３において、集魚灯１の支持台１４、１６への取り付け高さは、必要に応じて適宜調整される。例えば、図１４の変形例に示すように、漁船１０１において、集魚灯１の取り付け高さを、支持台１４、１６、１８の上部の、船体上部構造物１２よりも高い位置に取り付けてもよい。
【００５２】
図１５は、本考案の集魚灯１の配光曲線を示す。曲線Ａ１は、管軸（ランプ軸）に垂直な鉛直内面の特性を示し、曲線Ａ２は、管軸に平行な鉛直面内の特性を示す。なお、配光曲線は、照明装置からの光がどの方向へどれだけの光強度（ｃｄ；カンデラ）で出ているかを示すもので、照明装置の技術分野では周知である。上述したように、本考案の集魚灯１は、頂部反射片３ｃ１と頂部反射片３ｃ２とのなす角度（反射角θ１）、頂部反射片３ｃ２と頂部反射片３ｃ３とのなす角度（反射角θ２）、頂部反射片３ｃ３と頂部反射片３ｃ４とのなす角度（反射角θ３）が、漁船に集魚灯１を搭載して発光された際に光源４と漁船の縁を結んだ直線方向の光強度が最大になるような角度に形成されているので、配光曲線は、図１５の曲線Ａ１に示されるように、光源４の直下よりも左右の特定方向がより高い光強度の特性を示す。この特定方向が、光源と漁船の縁を結ぶ直線方向である。光強度は左右対称である。前述したように、照射領域は、光が照射される明るい領域であり、正の走光性を有するプランクトンや小魚が集まる領域である。非照射領域は光が照射されない暗い領域であり、照射領域に集まったプランクトンや小魚を補食するためにイカが集まる領域である。照射領域と非照射領域との境界が明瞭に形成される。つまり、照射領域と非照射領域との明暗の差が大きくなることで、イカの非照射領域での集魚効果が大幅に向上し、したがって、漁獲効果も大幅に向上する。なお、イカの捕獲可能な領域は、当然、この非照射領域内に設定される。
【００５３】
図１６は、参考例として示す集魚灯の配光曲線である。この参考例の集魚灯は、例えば、特許文献１の図１６に示すような、全方位に光照射を行う従来の水銀灯を用いて構成されている。曲線Ａ３は、管軸に垂直な鉛直内面の特性を示し、曲線Ａ４は、管軸に平行な鉛直面内の特性を示す。図示するように、全方位に光が照射されるため、海面以外へ照射される光の割合が多く、海面への照射効率が非常に低い。このため、従来、このような特性の集魚灯を漁船に搭載するときには、海面方向に所定の明るさを確保するために非常に消費電力の大きいものが利用されてきた。
【００５４】
図１７は、本考案の集魚灯１を用いた集魚システム１０を漁船１００に搭載し、集魚灯１で海面を照らしたときの照度分布図であり、図に示した各曲線は、等照度曲線である。光源の無電極放電ランプの１個あたりの消費電力は２００Ｗである。集魚システム１０は、複数の集魚灯１を漁船１００の船体中心線に沿って１列に配設して構成されている。照度の単位はＬｕｘである。図１７の中央部の等照度曲線は、漁船の甲板上の照度分布を示している。図１７の左右の等照度曲線は、それぞれ、漁船１００の右舷側の海面ｓｌの照度分布、漁船１００の左舷側の海面ｓｌの照度分布を示している。図１７の中央部の照度分布と左右弦側の照度分布との間隙は、非照射領域である。図１８は、参考例の集魚灯を用いた集魚システムを漁船に搭載し、集魚灯で海面を照らしたときの照度分布図であり、図に示した各曲線は、等照度曲線である。本願考案と同様に、同数の集魚灯を漁船の船体中心線に沿って１列に配設している。光源は、図１６で説明した従来の水銀灯を用い、この水銀灯の１個あたりの消費電力は１０００Ｗである。照度の単位はＬｕｘである。図１８の中央部の等照度曲線は、漁船の甲板上の照度分布を示している。図１８の左右の等照度曲線は、それぞれ、漁船の右舷側の海面の照度分布、漁船の左舷側の海面の照度分布を示している。図１８の中央部の照度分布と左右弦側の照度分布との間隙は、非照射領域である。なお、等照度曲線、照度分布図は、照明装置の技術分野に属する当業者には周知技術である。
【００５５】
図１７の漁船１００の左右舷に沿った非照射領域と照射領域との境界部分の等照度曲線の間隔と、図１８の漁船の左右舷に沿った非照射領域と照射領域との境界部分の等照度曲線の間隔とを比較すると、図１７の方が、等照度曲線の間隔密である。これは、図１７の方が、図１８よりも、照射領域と非照射領域との境界が明瞭になっていることを示している。つまり、図１８よりも図１７の方が、照射領域と非照射領域との明暗の差が大きく形成されている。したがって、図１７の照度分布を有する集魚灯１を用いた漁船１００の集魚効果・漁獲効果は、図１８の照度分布を有する集魚灯を用いた漁船より向上していることが理解できる。
【００５６】
さらに、図１７と図１８とを比較すれば分かるように、それぞれの甲板上の照度も、海面上の照度も、照度自体の値は両者ともにほぼ同じである。上述したように、図１８の集魚灯に用いた水銀灯の消費電力は１個あたり１０００Ｗで、図１７の集魚灯１に用いた無電極放電ランプの消費電力は１個あたり２００Ｗである。つまり、本考案の集魚灯１は、上記の段落「００３５」〜「００４８」の（実施形態）で説明した構成とすることにより左右舷の海面方向への照射効率を高めることで、従来の水銀灯を用いた集魚灯に比べて、５分の１という大幅な低消費電力化を実現することができる。
【００５７】
以上のように、本考案の集魚灯システム１０を搭載した漁船１００においては、集魚光の広範囲の照射を可能とし、集魚の効果を高めて所定の釣果（漁獲効果）を得ることができるとともに漁作業者の視認性・作業効率性を向上させることができる。なお、イカ漁を中心に説明したが、走行性を有する魚類の漁においても、頂部反射板の反射角や底部反射板の曲率等を適宜調整して、照射光の方向・光強度を最適な条件に設定することで、集魚効果・漁獲効果を大幅に向上させることができる。
【００５８】
本考案の集魚灯は、漁船用の集魚灯だけでなく、一般的な照明装置としても用いることができる。例えば、駅構内のプラットホームにおいては、ホーム端部を明るくした方が利用客にとっては安全であるが、ホーム端部には車両の安全上照明装置を設けることはできない。そこで、従来、ホーム内側に照明装置が設けられるが、従来の照明装置では、照明装置の真下の光強度が高く、照明装置から遠ざかるにつれて光強度が低くなる。つまり、ホームの内側が明るく、ホーム端部が暗くなる。しかし、本願考案の集魚灯は、頂部反射板を構成する反射片の反射角度を変えること等により、広範囲に光を照射できると共に特定の方向の光強度を高く設定することができるので、本願の集魚灯の技術を利用した照明装置をホーム内側に設置しても、設置場所から離間したホーム端部を、従来の照明装置よりも，低消費電力で明るく照らすことができる。このような照明装置（照明技術）は、他に、公園、道路、街路などに設置されている一般的な屋外の照明装置（照明技術）として用いることもできる。
【符号の説明】
【００５９】
１    集魚灯
２    灯具カバー本体
２ａ  カバー
２ｂ  カバー枠部
２ｃ  光透過窓部
２ｄ  透明板
２ｅ  窓枠部
２ｆ  頂部
２ｇ  底辺部
２ｈ，３ｄ，５ｂ  開孔部
２ｉ，３ｄ，４ｃ  ランプ固定具
３    反射板本体
３ａ  底部反射板
３ｂ  前後側面反射板
３ｃ  頂部反射板
３ｃ１，３ｃ２，３ｃ３，３ｃ４  頂部反射片
３ｆ  反射板開口部
３ｇ，５ａ  螺着手段
４    光源
４ａ  ガラス管
４ｂ  フェライトコア
５    フレーム
１０  集魚システム
１１  船体
１２  船体上部構造物
１３  推進・操舵部
１４，１６，１８  支持台
１５，１７        支持線
１００，１０１    漁船
ａ１，ａ２，      照射領域（明るい領域）
ｂ１，ｂ２，ｂ３  非照射領域（暗い領域）
Ａ１，Ａ３        管軸に垂直な鉛直内面の配光曲線
Ａ２，Ａ４        管軸に平行な鉛直面内の配光曲線
ｓｌ    海面
【図１】
0003218037.tif 000003
【図２】
0003218037.tif 000004
【図３】
0003218037.tif 000005
【図４】
0003218037.tif 000006
【図５】
0003218037.tif 000007
【図６】
0003218037.tif 000008
【図７】
0003218037.tif 000009
【図８】
0003218037.tif 000010
【図９】
0003218037.tif 000011
【図１０】
0003218037.tif 000012
【図１１】
0003218037.tif 000013
【図１２】
0003218037.tif 000014
【図１３】
0003218037.tif 000015
【図１４】
0003218037.tif 000016
【図１５】
0003218037.tif 000017
【図１６】
0003218037.tif 000018
【図１７】
0003218037.tif 000019
【図１８】
0003218037.tif 000020